(57)【特許請求の範囲】
【請求項１】
桟瓦の裏面側の凸部を瓦桟に引っ掛けるとともに、前記桟瓦の右縁と上縁とにそれぞれ他の桟瓦の左縁と下縁とを重ねるように、葺きあげて構成される屋根瓦構造であって、
重ねて葺きあげられる前記桟瓦が、右縁端に、隣り合う前記桟瓦の左縁端を嵌合可能な嵌合溝部を備え、下縁端に、隣り合う前記桟瓦の上縁端を嵌合可能な嵌合凹部を備えて、構成され、
棟側に配置される棟側瓦が、下縁側に、前記桟瓦の上縁側を嵌合可能な嵌合凹部を備え、右縁端に、隣り合う前記棟側瓦の左縁端を嵌合可能な嵌合溝部を備え、さらに、上端側に、上方へ突出する爪片部を備え、
棟を間にした前記爪片部相互が、棟を跨いで野地板上に固定された第１棟瓦に、下面側をそれぞれ支持されるとともに、棟を跨いで前記第１棟瓦の上方で前記第１棟瓦に対して上方への抜けを不能として係合された断面略逆Ｕ字形の第２棟瓦に、外表面側をそれぞれ支持されて、配設されていることを特徴とする屋根瓦構造。
【請求項２】
桟瓦の裏面側の凸部を瓦桟に引っ掛けるとともに、前記桟瓦の右縁と上縁とにそれぞれ他の桟瓦の左縁と下縁とを重ねるように、葺きあげて構成される屋根瓦構造であって、
重ねて葺きあげられる前記桟瓦が、右縁端に、隣り合う前記桟瓦の左縁端を嵌合可能な嵌合溝部を備え、下縁端に、隣り合う前記桟瓦の上縁端を嵌合可能な嵌合凹部を備えて、構成され、
壁側に配置される壁側瓦が、下縁側に、前記桟瓦の上縁側を嵌合可能な嵌合凹部を備え、右縁端に、隣り合う前記壁側瓦の左縁端を嵌合可能な嵌合溝部を備え、さらに、上縁端に、上方へ延びる縦壁部を備え、
前記縦壁部が、隣り合う壁側瓦相互の接続時に外表面を面一とするように、左右方向の一方の端部に、凹条部を備え、他方の端部に、前記凹条部に嵌合する突条部を備えて構成されるとともに、上端に、前記壁の下地板に係合する係合爪と、全幅に配置されて前記壁のモルタル内に埋設されるリブと、を備えて構成されていることを特徴とする屋根瓦構造。
【請求項３】
前記野地板、第１棟瓦、及び、第２棟瓦に、空気流路が形成されていることを特徴とする請求項１に記載の屋根瓦構造。
【請求項４】
壁側に配置される壁側瓦が、下縁側に、前記桟瓦の上縁側を嵌合可能な嵌合凹部を備え、右縁端に、隣り合う前記壁側瓦の左縁端を嵌合可能な嵌合溝部を備え、さらに、上縁端に、上方へ延びる縦壁部を備え、
前記縦壁部が、隣り合う壁側瓦相互の接続時に外表面を面一とするように、左右方向の一方の端部に、凹条部を備え、他方の端部に、前記凹条部に嵌合する突条部を備えて構成されるとともに、上端に、前記壁の下地板に係合する係合爪と、全幅に配置されて前記壁のモルタル内に埋設されるリブと、を備えて構成されていることを特徴とする請求項１又は請求項３に記載の屋根瓦構造。
【請求項５】
軒先側に配置される軒瓦が、上縁側に、前記桟瓦の下縁側の前記嵌合凹部に嵌合可能な嵌合凸部を備えるとともに、右縁端に、隣り合う前記軒瓦の左縁端を嵌合可能な嵌合溝部を備え、さらに、下縁端に、前記軒瓦と一体若しくは別体として、雨水を流し可能な樋部を接続させて、構成され、
前記樋部が、隣り合う軒瓦相互の接続時に内周面を面一とするように、左右方向の一方の端部に、凹条部を備え、他方の端部に、前記凹条部に嵌合する突条部を備えて構成されていることを特徴とする請求項１乃至請求項４のいずれか１項に記載の屋根瓦構造。
【発明の詳細な説明】
【０００１】
【発明の属する技術分野】
本発明は、瓦の継ぎ目からの雨水の浸入や強風による瓦のめくれを効果的に抑えることができる屋根瓦構造に関する。
【０００２】
【従来の技術とその課題】
従来の屋根瓦構造は、通常、桟瓦の裏面側の凸部を瓦桟に引っ掛けるとともに、その桟瓦の右縁と上縁とにそれぞれ他の桟瓦の左縁と下縁とを重ねるように、葺きあげて構成されていた。さらに、釘や緊結線等を利用して、瓦を固定していた。
【０００３】
しかし、桟瓦相互は、単に、その右縁と上縁とにそれぞれ他の桟瓦の左縁と下縁とを重ねるように、葺きあげているだけであるため、連結強度が低く、瓦の継ぎ目からの雨水の浸入や強風による瓦のめくれを効果的に抑えることができなかった。
【０００４】
本発明は、雨水の侵入や強風による瓦のめくれを効果的に抑えることができる屋根瓦構造を提供することを目的とする。
【０００５】
【課題を解決するための手段】
本発明に係る屋根瓦構造では、桟瓦の裏面側の凸部を瓦桟に引っ掛けるとともに、前記桟瓦の右縁と上縁とにそれぞれ他の桟瓦の左縁と下縁とを重ねるように、葺きあげて構成される屋根瓦構造であって、
重ねて葺きあげられる前記桟瓦が、
右縁端に、隣り合う前記桟瓦の左縁端を嵌合可能な嵌合溝部を備え、下縁端に、隣り合う前記桟瓦の上縁端を嵌合可能な嵌合凹部を備えて、
構成されていることを特徴とする。
【０００６】
このような屋根瓦構造では、左右方向に並ぶ桟瓦が、右縁端の嵌合溝部に、右隣の桟瓦の左縁端を嵌合させて、葺きあげられ、上下方向に並ぶ桟瓦が、下縁端の嵌合凹部に、下隣の桟瓦の上縁端を嵌合させて、葺きあげられることとなって、隣り合う桟瓦相互が、嵌合溝部や嵌合凹部への嵌合によって、左右方向と上下方向とに、強固に連結されつつ葺きあげられることとなり、その結果、瓦の継ぎ目からの雨水の浸入や強風による瓦のめくれを効果的に抑えることができる。
【００１０】
また、棟側に配置される棟側瓦は、下縁側に、前記桟瓦の上縁側を嵌合可能な嵌合凹部を備え、右縁端に、隣り合う前記棟側瓦の左縁端を嵌合可能な嵌合溝部を備え、さらに、上端側に、上方へ突出する爪片部を備えて、構成し、
棟を間にした前記爪片部相互が、棟を跨いで野地板上に固定された第１棟瓦に、下面側をそれぞれ支持されるとともに、棟を跨いで前記第１棟瓦の上方で前記第１棟瓦に対して上方への抜けを不能として係合された断面略逆Ｕ字形の第２棟瓦に、外表面側をそれぞれ支持されて、配設されるように構成されている。
【００１１】
このような屋根瓦構造では、棟の部位で、棟を間にした棟側瓦の爪片部相互が、棟を跨いで野地板上に固定された第１棟瓦に、下面側をそれぞれ支持されるとともに、棟を跨いで第１棟瓦の上方で第１棟瓦に対して上方への抜けを不能として係合された断面略逆Ｕ字形の第２棟瓦に、外表面側をそれぞれ支持されて、配設されている。そして、棟を間にした棟側瓦が、下縁側の嵌合凹部を桟瓦の上縁側に嵌合させた状態で、左縁端の嵌合溝部に右隣の棟側瓦の右縁端を嵌合させて、左右方向に並び、それぞれの上端側の上方へ突出させた爪片部が、桁行方向に沿って、第１・２棟瓦により挟持されるように覆われる構造であり、桟瓦から棟側瓦をへて第１・２棟瓦まで、各桟瓦や各棟側瓦が左右方向と上下方向とに嵌合構造で強固に連結されることとなって、瓦の継ぎ目からの雨水の浸入や強風による瓦のめくれを効果的に抑えることができる。また、従来ののし瓦や漆喰を使用せずに、棟を形成することができるため、容易に施工することもできる。
【００１２】
さらに、前記野地板、第１棟瓦、及び、第２棟瓦に、空気流路を形成しておけば、屋内の換気が可能となる。
【００１３】
また、壁側に配置される壁側瓦としては、下縁側に、前記桟瓦の上縁側を嵌合可能な嵌合凹部を備え、右縁端に、隣り合う前記壁側瓦の左縁端を嵌合可能な嵌合溝部を備え、さらに、上縁端に、上方へ延びる縦壁部を備えるように、構成し、
前記縦壁部が、隣り合う壁側瓦相互の接続時に外表面を面一とするように、左右方向の一方の端部に、凹条部を備え、他方の端部に、前記凹条部に嵌合する突条部を備えて構成されるとともに、上端に、前記壁の下地板に係合する係合爪と、全幅に配置されて前記壁のモルタル内に埋設されるリブと、を備えて構成することが望ましい。
【００１４】
このような屋根瓦構造では、壁側瓦が、下縁側の嵌合凹部を桟瓦の上縁側に嵌合させた状態で、嵌合溝部や凹条部に隣の壁側瓦の突条部等を嵌合させて、左右方向に並び、上端の係合爪を壁の下地板に係合させるとともに、上縁から上方へ延ばした縦壁部のリブを壁のモルタル内に埋設させており、桟瓦から壁側瓦の縦壁部まで、各桟瓦や各壁側瓦が左右方向と上下方向とに嵌合構造で強固に連結されることとなって、瓦の継ぎ目からの雨水の浸入や強風による瓦のめくれを効果的に抑えることができる。また、従来ののし瓦や漆喰、さらに、板金製の雨押え等を使用せずに、壁際を形成することができるため、容易に施工することもできる。
さらに、軒先側に配置される軒瓦としては、上縁側に、前記桟瓦の下縁側の前記嵌合凹部に嵌合可能な嵌合凸部を備えるとともに、右縁端に、隣り合う前記軒瓦の左縁端を嵌合可能な嵌合溝部を備え、さらに、下縁端に、前記軒瓦と一体若しくは別体として、雨水を流し可能な樋部を接続させて、構成し、
前記樋部が、隣り合う軒瓦相互の接続時に内周面を面一とするように、左右方向の一方の端部に、凹条部を備え、他方の端部に、前記凹条部に嵌合する突条部を備えて構成されることが望ましい。
このような屋根瓦構造では、軒瓦自体に樋部が接続されているため、雨樋を別途施工する必要がない。
勿論、左右方向に並ぶ軒瓦自体も、右縁端の嵌合溝部に、右隣の軒瓦の左縁端を嵌合させて、葺きあげられ、かつ、上縁端の嵌合凸部を、桟瓦の嵌合凹部に嵌合させて、葺きあげられるため、左右方向と上方向とに、強固に連結されつつ葺きあげられることとなり、その結果、瓦の継ぎ目からの雨水の浸入や強風による瓦のめくれを効果的に抑えることができる。また、隣り合う樋部相互の接続も、凹条部に突条部を嵌合させて、内周面を面一にできることから、雨水を円滑に流すことができる。
【００１５】
【発明の実施の形態】
以下、本発明の実施形態を図面に基づいて説明する。
【００１６】
実施形態の屋根瓦構造では、桟瓦１０の部位では、図１・２・６・７に示すように、軒げた１やたる木２等で支持された野地板３上に、下葺き材４を葺き、さらに、瓦桟５を左右方向に打ちつけ、各瓦桟５に、順次、桟瓦１０の裏面側の凸部１２を引っ掛けつつ、葺きあげる構造を基本とする。
【００１７】
桟瓦１０は、従来と同様に、粘土瓦等から形成され、略四角板状の本体部１１と、本体部１１の右縁端１４に設けられる嵌合溝部１６と、本体部１１の下縁端２１に設けられる嵌合凹部２３と、を備えて構成されている。
【００１８】
嵌合溝部１６は、本体部１１の右縁端１４に断面逆Ｌ字形の鍔部１５が配設されて、本体部１１と鍔部１５との間に形成されている。嵌合溝部１６は、本体部１１の左縁端１８を嵌合可能なように、すなわち、右隣に配置される桟瓦１０の左縁端１８を嵌合部１９として、その嵌合部１９を右方から左方へ嵌合可能に構成されている。また、右縁端１４の上端側には、表面側を凹ませた凹条部１７が形成され、左縁端１８の上端側には、裏面側を突出させて、凹条部１７に嵌合可能な突条部２０が形成されている。
【００１９】
嵌合凹部２３は、本体部１１の下縁端２１の裏面側に、下方を開口させるように、断面Ｌ字形のＬ字片２２を設けて構成されており、嵌合凹部２３には、本体部１１の上縁端２４を嵌合可能なように、すなわち、下隣に配置される桟瓦１０の上縁端２４を嵌合部２５として、その嵌合部２５を下方から挿入嵌合可能に構成されている。
【００２０】
本体部１１の上部裏面側に配置される凸部１２の近傍には、桟瓦１０を瓦桟５に釘８で止めるための所定数（実施形態では、２個）の留孔１３が形成されている。留孔１３は、上方に重ねる桟瓦１０の下縁端２１に覆われる位置に、配置されている。
【００２１】
桟瓦１０の葺きあげは、後述する軒瓦３０を、後述する広こまい６上に、左方から順に配設させた後、凸部１２を瓦桟５に引っ掛けるとともに釘８で打ちつけつつ、左端側の軒瓦３０の直上から左方側へ順に、さらに、下段側から上段側へ左方側から順に、桟瓦１０を配設させれば、葺きあげることができる。なお、屋根の左右方向の端部には、後述する袖瓦１４０を配設しつつ、桟瓦１０を葺きあげることとなる。
【００２２】
このような桟瓦１０を葺きあげた屋根瓦構造では、図１・２・４・６・７に示すように、左右方向に並ぶ桟瓦１０が、右縁端１４の嵌合溝部１６に、右隣の桟瓦１０の左縁端１８の嵌合部１９を嵌合させて、葺きあげられ、上下方向に並ぶ桟瓦１０が、下縁端２１の嵌合凹部２３に、下隣の桟瓦１０における上縁端２４の嵌合部２５を嵌合させて、葺きあげられることとなる。すなわち、隣り合う桟瓦１０相互が、嵌合溝部１６や嵌合凹部２３への嵌合部１９・２５の嵌合によって、左右方向と上下方向とに、強固に連結されつつ葺きあげられることとなり、その結果、瓦の継ぎ目からの雨水の浸入や強風による瓦のめくれを効果的に抑えることができる。
【００２３】
なお、桟瓦１０の左右方向で葺きあげられる左右の袖瓦１４０（１４０Ｌ・１４０Ｒ）は、図４１〜４３に示すように、桟瓦１０から離れる左右方向の端部側に、下方に延びる側壁部１４３が配設され、さらに、略四角板状の本体部１１の裏面側には、側壁部１４３との間に破風板１４５を嵌合させる嵌合溝１４１を形成するために、突条１４２が形成されている。また、左袖瓦１４０Ｌと右袖瓦１４０Ｒとは、左右方向で隣り合う桟瓦１０の嵌合部１９や嵌合溝部１６を嵌合可能に、桟瓦１０と同様な嵌合溝部１６や嵌合部１９を備え、さらに、左右方向で隣り合う桟瓦１０の突条部２０や凹条部１７に嵌合する凹条部１７や突条部２０も備えている。さらに、瓦桟５に引っ掛ける凸部１２や釘８止めするための留孔１３も備えて構成されている。
【００２４】
また、実施形態の軒瓦３０では、図１・２に示すように、広こまい６に瓦座７が打ちつけられて、瓦桟５と瓦座７とに引っ掛けられて葺きあげられることとなる。軒瓦３０は、従来と同様に、粘土瓦等から形成され、図８〜１０に示すように、略四角板状の本体部３１と、本体部３１の右縁端３４に設けられる嵌合溝部３６と、本体部３１の上縁端４１に設けられる嵌合凸部４２と、下縁端４３に設けられる樋部４４と、を備えて構成されている。
【００２５】
嵌合溝部３６は、桟瓦１０の嵌合溝部１６と同様に、本体部３１の右縁端３４に断面逆Ｌ字形の鍔部３５が配設されて、本体部３１と鍔部３５との間に形成されている。嵌合溝部３６は、本体部３１の左縁端３８を嵌合可能なように、すなわち、右隣に配置される軒瓦３０の左縁端３８を嵌合部３９として、その嵌合部３９を右方から左方へ嵌合可能に構成されている。また、右縁端３４の上端側には、表面側を凹ませた凹条部３７が形成され、左縁端３８の上端側には、裏面側を突出させて、凹条部３７に嵌合可能な突条部４０が形成されている。
【００２６】
嵌合凸部４２は、軒瓦３０の上縁端に形成され、桟瓦１０の下縁側の嵌合凹部２３に嵌合可能としている。
【００２７】
樋部４４は、実施形態の場合、本体部３１と一体的に形成されて、雨水を流し可能に、軸方向を左右方向として上方を開口させた略半割り円筒状としている。そして、樋部４４は、隣り合う軒瓦３０相互の接続時に、内周面を面一とするように、左右方向の一方の端部（実施形態の場合には右端部）に、表面側を凹ませた凹条部４５を備え、他方の端部（実施形態の場合には左端部）に、凹条部４５に嵌合可能な、裏面側を凹ませた突条部４６を備えて構成されている。
【００２８】
また、本体部３１の上部裏面側と下部裏面側とには、瓦桟５と瓦座７とに引っ掛けるための凸部３２・３１ａが配設され、凸部３２の近傍には、軒瓦３０を瓦桟５に釘８で止めるための所定数（実施形態では、２個）の留孔３３が形成されている。この留孔３３も、上方に重ねる桟瓦１０の下縁端２１に覆われる位置に、配置されている。
【００２９】
軒瓦３０は、凸部３２・３１ａを瓦桟５や瓦座７に引っ掛けるとともに釘８で打ちつけつつ、広こまい６上に、左方から順に配設させれば、葺きあげることができる。なお、軒の左右方向の端部には、後述する袖瓦１５０を配設させることとなる。また、軒瓦３０を配設した後には、既述したように、下段側から上段側へ左方側から順に、桟瓦１０や袖瓦１４０Ｌ・１４０Ｒを配設させることとなる。
【００３０】
このような軒瓦３０を葺きあげた屋根瓦構造では、図１・２・９に示すように、軒瓦３０自体に樋部４４が接続されているため、雨樋を別途施工する必要がない。
【００３１】
勿論、左右方向に並ぶ軒瓦３０自体も、右縁端３４の嵌合溝部３６に、右隣の軒瓦３０の左縁端３８の嵌合部３９を嵌合させて、葺きあげられ、かつ、上縁端４１の嵌合凸部４２を、桟瓦１０の嵌合凹部２３に嵌合させて、葺きあげられるため、左右方向と上方向とに、強固に連結されつつ葺きあげられることとなり、その結果、瓦３０・１０の継ぎ目からの雨水の浸入や強風による瓦３０・１０のめくれを効果的に抑えることができる。また、隣り合う樋部４４相互の接続も、凹条部４５に突条部４６を嵌合させて、内周面を面一にできることから、雨水を円滑に流すことができる。
【００３２】
軒の左右方向の両端部に配設される袖瓦１５０（１５０Ｌ・１５０Ｒ）は、図４４・４５に示すように、樋部４４の端面を塞ぐ蓋部１５４を備えるとともに、樋部４４の底部から雨水を排水する円筒状の排水口部１５５を備えて、構成されている。また、袖瓦１４０と同様に、軒瓦３０から離れる左右方向の端部側に、下方に延びる側壁部１５３が配設され、さらに、略四角板状の本体部３１の裏面側には、側壁部１５３との間に破風板１４５を嵌合させる嵌合溝１５１を形成するために、突条１５２が形成されている。また、これらの袖瓦１５０Ｌ・１５０Ｒも、左右方向で隣り合う軒瓦３０の嵌合部３９や嵌合溝部３６を嵌合可能に、軒瓦３０と同様な嵌合溝部３６や嵌合部３９を備え、さらに、左右方向で隣り合う軒瓦３０の突条部４０・４６や凹条部３７・４５に嵌合する凹条部３７（図示せず）・４５や突条部４０（図示せず）・４６も備えている。さらに、瓦桟５や瓦座７に引っ掛ける凸部３２・３１ａや釘８止めするための留孔３３も備えて、構成されている。
【００３３】
また、実施形態の軒瓦３０では、樋部４４を本体部３１と一体的に形成した場合を示したが、図１１・１２に示すように、本体部３１の下縁端４３に、組付凹部４３ａを設けて、組付凹部４３ａに、本体部３１と別体の樋部４４Ａ・４４Ｂの組付凸部４４ａを嵌合組付するように構成しても良い。なお、樋部４４Ａは、本体部３１と同質の粘土材から形成され、樋部４４Ｂは、硬質塩化ビニル等の合成樹脂材から形成されている。
【００３４】
また、樋部を別体とする場合には、図１３に示すように、本体部３１に対して、回動可能に樋部４４Ｃをヒンジ結合させ、樋部４４Ｃから延びる支持杆４７をたる木２等にねじ止め等して固定し、樋部４４Ｃの雨水の受け角度を調整可能に構成しても良い。
【００３５】
さらに、図１４に示すように、樋部４４には、雨水を通過させて落ち葉等のごみを内部に入れて詰まらせないように、小径の貫通孔４８ａを複数設けた蓋体４８を配設しても良い。
【００３６】
さらにまた、図１５に示すように、降雪時の樋部４４の強度を高めるために、樋部４４の対向する側壁４４ｂ・４４ｃ相互を連結するようなリブ４９Ａを、左右方向に間隔を空けて設けても良い。また、本体部３１の下端部に、雪切り用のための三角錐状のリブ４９Ｂを設けても良い。さらに、図１６に示すように、雪切り用の三角錐状のリブ４９Ｃを樋部４４まで延設して、樋部４４の補強を図るように構成しても良い。
【００３７】
つぎに、実施形態の棟側瓦５０では、図１７・１８に示すように、粘土瓦等から形成されて、略四角板状の本体部５１と、本体部５１の右縁端５４に設けられる嵌合溝部５６と、本体部５１の下縁端６１に設けられる嵌合凹部６３と、上縁端に設けられて、上方へ延びる爪片部６５と、を備えて構成されている。
【００３８】
嵌合溝部５６は、桟瓦１０の嵌合溝部１６と同様に、本体部右縁端５４に断面逆Ｌ字形の鍔部５５が配設され、本体部５１と鍔部５５との間に形成されている。嵌合溝部５６は、本体部５１の左縁端５８を嵌合可能なように、すなわち、右隣に配置される棟側瓦５０の左縁端５８を嵌合部５９として、その嵌合部５９を右方から左方へ嵌合可能に構成されている。また、右縁端５４の上端側には、表面側を凹ませた凹条部５７が形成され、左縁端５８の上端側には、裏面側を突出させて、凹条部５７に嵌合可能な突条部６０が形成されている。
【００３９】
嵌合凹部６３も、桟瓦１０の嵌合凹部２３と同様に、本体部下縁端６１の裏面側に、下方を開口させるように、断面Ｌ字形のＬ字片６２を設けて構成されており、嵌合凹部６３には、桟瓦本体部１１の上縁端２４を嵌合可能なように、すなわち、下隣に配置される桟瓦１０の上縁端２４を嵌合部２５として、その嵌合部２５を下方から挿入嵌合可能に構成されている。
【００４０】
爪片部６５は、本体部５１の上縁端６４で、野地板３上に棟側瓦５０が葺きあげられた際、略鉛直方向に配設されるように構成されている。そして、隣合う棟側瓦相互の接続時に外表面を面一とするように、左右方向の一方の端部（実施形態の場合には右端部）に、表面側を凹ませた凹条部６６を備え、他方の端部（実施形態の場合には左端部）に、凹条部６６に嵌合可能な、裏面側を凹ませた突条部６７を備えて構成されている。
【００４１】
また、本体部５１の裏面側上部には、後述する第１棟瓦７０の凹部７２に嵌合する凸部５２が形成されている。
【００４２】
棟Ｔを間にして爪片部６５相互を対向させて配設される棟側瓦５０は、図２３に示すように、第１・２棟瓦７０・７７を利用して、葺きあげられている。
【００４３】
第１棟瓦７０は、図１０・２０・２３に示すように、棟Ｔの野地板３の傾斜に対応した断面逆Ｖ字状の基部７１と、基部７１の上面で、棟Ｔを間にして対向するように突設される一対の縦壁部７４と、を備えて構成されている。基部７１の上面には、棟Ｔを間にする棟側瓦５０の各凸部５２を嵌合させる凹部７２が形成され、各凹部７２には、第１棟瓦７０を野地板３上に固定するための釘７６止め用の留孔７３が形成されている。一対の縦壁部７４は、相互の対向面に、第２棟瓦７７の上方への抜けを防止可能な係合部を構成するための、突条７５が形成されている。各突条７５は、図１９に示すように、各縦壁部７４の桁行方向Ｘの両端部に形成されている。
【００４４】
第２棟瓦７７は、図２１〜２３に示すように、断面略逆Ｕ字形として、下面側に、桁行方向Ｘに沿う２つの嵌合溝７８・７８を備えて構成されている。各嵌合溝７８は、それぞれ、第１棟瓦７０の縦壁部７４と棟側瓦５０の爪片部６５とを重ねた部位を嵌合可能に形成され、さらに、各嵌合溝７８の内周面に、第１棟瓦７０の突条７５に嵌合する係合部としての凹溝７９が、桁行方向Ｘに沿う全長にわたって形成されている。また、各嵌合溝７８の内周面には、桁行方向Ｘの略中央部位に、第２棟瓦７７の下端から凹溝７９内に突条７５を配置可能に、第２棟瓦７７の下端から凹溝７９に向うような挿入溝部７８ａが形成されている。さらに、第２棟瓦７７の右方側の端部には、隣り合う第２棟瓦７７の左端部を覆い可能なカバー部８０が形成されている。
【００４５】
この棟Ｔの部位では、まず、下葺き材４で覆った野地板３上に、各留孔７３を利用する釘７６止めにより、第１棟瓦７０を固定し、ついで、各凹部７２に凸部５２を嵌合させつつ、棟Ｔを間にして対向する棟側瓦５０を、棟Ｔに向って左方側から桁行方向Ｘに沿って順次葺きあげ、その後、挿入溝部７８ａに、第１棟瓦７０の左端側の突条７５を配置させて、第２棟瓦７７を、下方へ押し下げ、さらに、右方側へスライドさせて、各突条７５を凹溝７９に係合させれば、棟側瓦５０や第１・２棟瓦７０・７７を葺きあげることができる。なお、棟側瓦５０を配設する際には、予め、軒瓦３０や桟瓦１０は、葺きあげておく。そして、嵌合凹部６３に桟瓦上縁端２４の嵌合部２５を嵌合させつつ、棟側瓦５０を配設させることとなる。また、第２棟瓦７７をスライドさせた後には、既に配設済みの第２棟瓦７７の左端部を、新たに配設した第２棟瓦７７のカバー部８０が覆うこととなる。
【００４６】
このように葺きあげた棟Ｔの部位での屋根瓦構造では、図２３に示すように、棟Ｔを間にした棟側瓦５０の爪片部６５相互が、棟Ｔを跨いで野地板３上に固定された第１棟瓦７０の基部７１に、下面側をそれぞれ支持されるとともに、棟Ｔを跨いで第１棟瓦７０の上方で第１棟瓦７０に対して上方への抜けを不能として係合された断面略逆Ｕ字形の第２棟瓦７７に、外表面側をそれぞれ支持されて、配設されている。そして、棟Ｔを間にした棟側瓦５０が、下縁側の嵌合凹部６３を桟瓦１０の上縁側に嵌合させた状態で、凹条部５７・６６に突条部６０・６７を嵌合させ、かつ、嵌合溝部５９に嵌合部５９を嵌合させて、左右方向に並び、それぞれの上縁端から上方へ延ばした爪片部６５が、桁行方向Ｘに沿って、第１・２棟瓦７０・７７により挟持されるように覆われる構造であり、桟瓦１０から棟側瓦５０をへて第１・２棟瓦７０・７７まで、各桟瓦１０や各棟側瓦５０が左右方向と上下方向とに嵌合構造で強固に連結されることとなって、瓦１０・５０・７０・７７の継ぎ目からの雨水の浸入や強風による瓦１０・５０・７０・７７のめくれを効果的に抑えることができる。また、従来ののし瓦や漆喰を使用せずに、棟を形成することができるため、容易に施工することもできる。
【００４７】
なお、第１棟瓦７０相互や第２棟瓦７７相互の継ぎ目は、第２棟瓦７７のカバー部８０が覆うことから、第１・２棟瓦７０・７７の継ぎ目からの雨水の浸入や強風による瓦７０・７７のめくれも効果的に抑えることができる。勿論、第２棟瓦７７は、係合部としての凹溝７９に、第１棟瓦７０の係合部としての突条７５を係合させているため、第１棟瓦７０からの第２棟瓦７７の上方への抜け止めが図られていることから、強風による第２棟瓦７７のめくれは効果的に抑えられることとなる。
【００４８】
ちなみに、図２４の二点鎖線に示すように、葺きあげた第２棟瓦７７の左端部に、カバー部８０の端面に当接する突条７７ａを設ければ、一層、第２棟瓦７７相互の継ぎ目からの雨水の侵入を抑えることができる。
【００４９】
第１棟瓦７０からの第２棟瓦７７の上方への抜け止めを図る係合部は、図２５〜２７に示すように構成しても良い。図２５〜２７に示す構造は、第１棟瓦７０Ａの一対の縦壁部７４に、係合部として、外方へ突出する突条７５が、左右方向の両端部に形成され、第２棟瓦７７Ａの嵌合溝７８に、突条７５に係合する係合部としての凹溝７９が、棟Ｔを間にして外方へ凹むように形成されている。第２棟瓦７７Ａの嵌合溝７８は、１つだけで構成されている。嵌合溝７８の桁行方向Ｘの略中央部位には、凹溝７９内へ突条７５を挿入可能に、第２棟瓦７７Ａの下端から凹溝７９につながるように、挿入溝部７８ａが形成されている。
【００５０】
なお、第１棟瓦７０Ａの縦壁部７４・７４間には、複数の棟平瓦８１が積み重ねられている。
【００５１】
この第１・２棟瓦７０Ａ・７７Ａの葺きあげは、下葺き材４で覆った野地板３上に、各留孔７３を利用する釘７６止めにより、第１棟瓦７０Ａを固定し、棟平瓦８１を縦壁部７４・７４間に積み重ねた後、各凹部７２に凸部５２を嵌合させつつ、棟Ｔを間にして対向する棟側瓦５０を、棟Ｔに向って左方側から桁行方向Ｘに沿って順次葺きあげ、ついで、挿入溝部７８ａに、第１棟瓦７０Ａの左端側の突条７５を配置させて、第２棟瓦７７Ａを、下方へ押し下げ、さらに、右方側へスライドさせて、各突条７５を凹溝７９に係合させれば、棟側瓦５０や第１・２棟瓦７０Ａ・７７Ａを葺きあげることができる。
【００５２】
なお、図２３に示す第１・２棟瓦７０・７７は、洋瓦タイプの棟Ｔであり、図２５に示す第１・２棟瓦７０Ａ・７７Ａは、和瓦タイプの棟Ｔとなる。
【００５３】
また、棟側瓦５０の爪片部６５の形状は、実施形態の形状ばかりでなく、上端側で上方へ突出されて、桁行方向Ｘに沿って、第１・２棟瓦により挟持されるように覆われる形状であれば、図２８に示すような形状であっても良い。
【００５４】
さらに、棟瓦の葺きあげには、図２９・３０に示すように、空気流路Ｓを設けて、屋内の換気が可能となるように構成しても良い。図２９・３０の棟Ｔでは、下葺き材４を設けた野地板３上に、第１棟瓦９０、棟側瓦５０、第２棟瓦９７、第３棟瓦１０２が葺きあげられて構成されている。
【００５５】
第１棟瓦９０は、図３１・３２に示すように、縦壁部７４・７４間の基部７１の部位に、上下方向に貫通する換気用孔９１が形成されている他、図１９・２０に示す第１棟瓦７０と同様な構成としており、同一の部位には、同じ符号を付してそれらの説明を省略する。
【００５６】
第２棟瓦９７は、図３３・３４に示すように、嵌合溝７８・７８間に、上下方向に貫通する換気用孔９８が形成され、さらに、カバー部８０を除く外表面に、桁行方向Ｘに沿う凹溝９９が形成される他、図２１・２２に示す第２棟瓦７７と同様な構成としており、同一の部位には、同じ符号を付してそれらの説明を省略する。この第２棟瓦９７の凹溝９９は、第３棟瓦１０２の第２棟瓦９７からの上方への抜けを防止する係合部を構成するものであり、両側の各凹溝９９における桁行方向Ｘの略中央部位には、第３棟瓦１０２の係合部としての突条１０４を凹溝９９内に案内可能に、第２棟瓦９７の上縁付近から凹溝９９に延びる挿入溝部１００が形成されている。
【００５７】
第３棟瓦１０２は、図３５・３６に示すように、第２棟瓦９７のカバー部８０を除いた部位の上方を覆えるような断面逆Ｕ字形として、左右方向の両端部における内周面の下端側には、第２棟瓦９７の凹溝９９に係合される係合部としての突条１０４が形成されている。また、第３棟瓦１０２には、内周面側の上部に開口１０３ａを設けて、両側の下端面の開口１０３ｂ・１０３ｂまで連通する換気孔１０３が形成されている。開口１０３ａの配置位置は、係合部１０４・９９を係合させて、第２棟瓦９７に対して第３棟瓦１０２を組み付けた際、第１・２棟瓦９０・９７の各換気用孔９１・９８に配設される換気ダクト１０６と連通する位置に配置されている。
【００５８】
換気ダクト１０６は、板金製として、屋根のたる木２・野地板３・下葺き材４を貫通するとともに、配置された第１・２棟瓦９０・９７の各換気用孔９１・９８を貫通するように、配設固定されている。
【００５９】
この空気流路Ｓを設けた屋根瓦構造では、まず、換気ダクト１０６を、たる木２や野地板３を貫通するように配設固定し、ついで、換気ダクト１０６を換気用孔９１に挿通させつつ、下葺き材４で覆われた野地板３上に、各留孔７３を利用する釘７６止めにより、第１棟瓦９０を固定し、その後、各凹部７２に凸部５２を嵌合させつつ、棟Ｔを間にして対向する棟側瓦５０を、棟Ｔに向って左方側から桁行方向Ｘに沿って順次葺きあげる。ついで、換気ダクト１０６を換気用孔９８に挿通させつつ、挿入溝部７８ａに、第１棟瓦９０の左端側の突条７５を配置させて、第２棟瓦９７を、下方へ押し下げ、さらに、右方側へスライドさせて、各突条７５を凹溝７９に係合させる。さらに、挿入溝部１００に第３棟瓦１０２の右端側の突条１０４を配置させて、第３棟瓦１０２を、下方へ押し下げ、さらに、右方側にスライドさせ、各突条１０４に凹溝９９に係合させ、開口１０３ａを換気ダクト１０６に連通させれば、棟側瓦５０や第１・２・３棟瓦９０・９７・１０２を葺きあげることができて、瓦５０・９０・９７・１０２の継ぎ目からの雨水の浸入や強風による瓦５０・９０・９７・１０２のめくれを抑えて、かつ、空気流路Ｓを備えた屋根瓦構造を施工することができる。
【００６０】
なお、このような空気流路Ｓを設ける部位は、棟Ｔの全域に設けなくとも良く、部分的に設け、他の部位は、図２３の構造で棟Ｔを施工すれば良い。
【００６１】
また、棟Ｔの桁行方向Ｘの端部の部位では、図４６・４７に示すように構成する。すなわち、袖瓦１６０（１６０Ｌ・１６０Ｒ）と嵌合されて、その左・右袖瓦１６０Ｌ・１６０Ｒの上部に、巴瓦１８７を配設し、さらに、巴瓦１８７と第２棟瓦７７との境界部位付近に、鬼瓦１９３を配設させる。
【００６２】
左・右袖瓦１６０Ｌ・１６０Ｒは、図４８・４９に示すように、略四角板形状の本体部１６１と、その上端から上方へ延びる爪片部１７５と、を備えて構成され、本体部１６１には、隣り合う棟側瓦５０から遠ざかる端部側に、下方に延びる側壁部１６２が形成されている。また、本体部１６１における隣り合う棟側瓦５０側には、棟側瓦５０の嵌合部５９や嵌合溝部５６に嵌合可能な嵌合溝部１６６や嵌合部１６９が形成されるととに、凹条部５７や突条部６０に嵌合する突条部１７０や凹条部１６７も形成されている。また、本体部１６１の下端側には、袖瓦１４０Ｌ・１４０Ｒの上端縁を嵌合可能に、Ｌ字片１７２を設けて構成された嵌合凹部１７３が形成されている。爪片部１７５は、本体部１６１の上端から上方へ延びる縦壁部１７６と、縦壁部１７６の上端から直交方向で本体部１６１側に屈曲する横壁部１７７と、から構成されている。なお、左・右袖瓦１６０Ｌ・１６０Ｒは、縦壁部７４を除いた第１棟瓦７０のような形状の棟瓦１８０の上面側に配設され、棟瓦１８０は、複数箇所の凹部１８２の底部に開口した留孔１８３を利用して、野地板３に釘７６止めされている。
【００６３】
巴瓦１８７は、図４６・５０・５１に示すように、略円柱状の基部１８８と、基部１８８の一端部１８８ａに設けられる円板状のカバー部１９０と、基部１８８の他端部１８８ｂ側に上方へ突出するように設けられる係止爪部１９１と、を備えて構成されている。基部１８８の下面側には、凹溝１８９が形成され、凹溝１８９は、棟Ｔを間にして対向する左・右袖瓦１６０Ｌ・１６０Ｒの爪片部１７５相互を当接させた状態の、２つの爪片部１７５・１７５を、他端部１８８ｂ側から桁行方向Ｘに沿って嵌合可能に構成されている。
【００６４】
鬼瓦１９３は、図４６・４７・５２に示すように、下面側を開口させた断面逆Ｕ字状として、第２棟瓦７７の突条７７ａを嵌合可能な凹溝１９４と、巴瓦１８７の係止爪部１９１を覆うように係止して、巴瓦１８７の棟側瓦５０から離れる方向への移動を規制する係止壁部１９５と、を備えて構成されている。
【００６５】
左・右袖瓦１６０Ｌ・１６０Ｒ・巴瓦１８７・鬼瓦１９３等の葺きあげは、まず、下葺き材４で覆った野地板３上に、留孔１８３を利用する釘７６止めにより、棟瓦１８０を固定し、ついで、嵌合凹部１７３を葺きあげ済みの袖瓦１４０Ｌ・１４０Ｒの上端に嵌合させ、かつ、嵌合溝部１６６や嵌合部１６９を葺きあげ済みの棟側瓦５０の嵌合部５９や嵌合溝部５６に嵌合させて、爪片部１７５の縦壁部１７６相互を当接させるように、左・右袖瓦１６０Ｌ・１６０Ｒを、棟瓦１８０上に配設する。その後、重ねられた爪片部１７５・１７５に、端部１８８ｂ側から桁行方向Ｘに沿って、凹溝１８９を嵌合させ、巴瓦１８７の端部１８８ｂを、葺きあげ済みの第２棟瓦７７に当接させる。ついで、凹溝１９４に第２棟瓦７７の突条７７ａを嵌合させるとともに、係止爪部１９１を係止壁部１９５で係止するように、鬼瓦１９３を、上方から押し下げて、第２棟瓦７７と巴瓦１８７との境界部位付近に配設させれば、左・右袖瓦１６０Ｌ・１６０Ｒ・巴瓦１８７・鬼瓦１９３等を葺きあげることができる。
【００６６】
そしてまた、棟Ｔの部位で、寄せ棟と二又状に稜線が分岐するような場合には、図３７に示すように、分岐瓦１０７を配置させるように構成し、その端部上面には、嵌合凸部１０７ａに嵌合凹溝１０８ａを嵌合させて、鬼瓦１０８を配設させるように構成しても良い。
【００６７】
つぎに、実施形態の壁際の壁側瓦１１０は、図３８・３９に示すように、粘土瓦等から形成されて、略四角板状の本体部１１１と、本体部１１１の右縁端１１４に設けられる嵌合溝部１１６と、本体部１１１の下縁端１２１に設けられる嵌合凹部１２３と、上縁端１２４に設けられて、上方へ延びる縦壁部１２５と、を備えて構成されている。
【００６８】
嵌合溝部１１６は、本体部右縁端１１４に、表面側を凹ませる凹溝を設けて構成され、本体部１１１の左縁端１１８を嵌合可能なように、すなわち、右隣に配置される壁側瓦１１０の左縁端１１８を、裏面側に凹溝を設けた嵌合部１１９として、その嵌合部１１９を重ねて嵌合可能に構成されている。
【００６９】
嵌合凹部１２３は、桟瓦１０の嵌合凹部２３と同様に、本体部下縁端１２１の裏面側に、下方を開口させるように、断面Ｌ字形のＬ字片１２２を設けて構成されており、嵌合凹部１２３には、桟瓦本体部１１の上縁端２４を嵌合可能なように、すなわち、下隣に配置される桟瓦１０の上縁端２４を嵌合部２５として、その嵌合部２５を下方から挿入嵌合可能に構成されている。
【００７０】
縦壁部１２５は、本体部１１１の上縁端１２４で、野地板３上に壁側瓦１１０が葺きあげられた際、略鉛直方向に配設されるように構成されている。そして、隣合う壁側瓦相互の接続時に外表面を面一とするように、左右方向の一方の端部（実施形態の場合には左端部）に、表面側を凹ませた凹条部１２６を備え、他方の端部（実施形態の場合には右端部）に、凹条部１２６に嵌合可能な、裏面側を凹ませた突条部１２７を備えて構成されている。
【００７１】
また、本体部１１１の裏面側上部には、瓦桟５に引っ掛けるための凸部１１２が形成されている。
【００７２】
縦壁部１２５は、上端に、壁Ｗの下地板１３１の上端１３１ａに係合する鉤形状の係合爪１２８と、係合爪１２８の上面の凹条部１２６を除く全幅に配置されて、壁Ｗのモルタル１３２内に埋設されるリブ１２９と、を備えて構成されている。また、裏面側には、下葺き材４を設けた下地板１３１に当接支持される突条１３０が設けられている。
【００７３】
この壁側瓦１１０は、直下の桟瓦１０が葺きあげられた後、壁際の部位で、嵌合凹部１２３に各桟瓦上端縁２４の嵌合部２５を嵌合させつつ、縦壁部１２５の係合爪１２８を下地板１３１の上端１３１ａに係合させ、さらに、隣り合う凹条部１２６と突条部１２７、また、隣り合う嵌合溝部１１６と嵌合部１１９を、それぞれ嵌合させて、左右方向に順次配設させ、さらに、リブ１２９を埋め込むようにモルタル１３２を塗りつければ、葺きあげることができる。
【００７４】
このような壁際の屋根瓦構造では、壁側瓦１１０が、下縁側の嵌合凹部１２３を桟瓦１０の上縁側に嵌合させた状態で、嵌合溝部１１６の隣の壁側瓦１１０の嵌合部１１９を嵌合させ、かつ、凹条部１２６に隣の壁側瓦１１０の突条部１２７を嵌合させて、左右方向に並び、上端の係合爪１２８を壁Ｗの下地板１３１の上端１３１ａに係合させるとともに、上縁から上方へ延ばした縦壁部１２５のリブ１２９を壁Ｗのモルタル１３２内に埋設させており、桟瓦１０から壁側瓦１１０の縦壁部１２５まで、各桟瓦１０や各壁側瓦１１０が左右方向と上下方向とに嵌合構造で強固に連結されることとなって、瓦１０・１１０の継ぎ目からの雨水の浸入や強風による瓦のめくれを効果的に抑えることができる。また、従来ののし瓦や漆喰、さらに、板金製の雨押え等を使用せずに、壁際を形成することができるため、容易に施工することもできる。
【図面の簡単な説明】
【図１】本発明の一実施形態の屋根瓦構造における一部破断概略斜視図である。
【図２】同実施形態の側面図である。
【図３】同実施形態に使用する桟瓦の斜視図である。
【図４】同実施形態の桟瓦を左右方向に並べた状態を示す斜視図である。
【図５】同実施形態の桟瓦における嵌合溝部とその嵌合溝部に嵌合する部位との拡大部分斜視図である。
【図６】同実施形態の桟瓦を葺きあげた際の左右方向の断面を示す概略図である。
【図７】同実施形態の桟瓦を葺きあげた際の上下方向の断面を示す概略図である。
【図８】同実施形態の軒瓦を示す斜視図である。
【図９】同実施形態の軒瓦を左右方向に並べた状態を示す斜視図である。
【図１０】同実施形態の軒瓦の側面図である。
【図１１】軒瓦の他の実施形態を示す部分断面図である。
【図１２】軒瓦のさらに他の実施形態を示す部分断面図である。
【図１３】軒瓦のさらに他の実施形態を示す部分断面図である。
【図１４】軒瓦のさらに他の実施形態を示す部分断面図である。
【図１５】軒瓦のさらに他の実施形態を示す部分断面図である。
【図１６】軒瓦のさらに他の実施形態を示す部分断面図である。
【図１７】実施形態における棟側瓦の斜視図である。
【図１８】同実施形態の棟側瓦を左右方向に並べた斜視図である。
【図１９】同実施形態の第１棟瓦を示す平面図である。
【図２０】同第１棟瓦を示す正面図である。
【図２１】同実施形態の第２棟瓦を示す平面図である。
【図２２】同第２棟瓦を示す正面図である。
【図２３】同実施形態の棟の部位の屋根瓦構造の断面図であり、第１棟瓦の部位では、図１９の XXIII−XXIII 部位に対応し、第２棟瓦の部位では、図２１の XXIII−XXIII 部位に対応する。
【図２４】同実施形態の第２棟瓦を並べた状態を示す概略図である。
【図２５】他の実施形態の棟の部位の屋根瓦構造を示す断面図であり、第１棟瓦の部位では、図２６の XXV−XXV 部位に対応し、第２棟瓦の部位では、図２７の XXV−XXV 部位に対応する。
【図２６】同実施形態に使用する第１棟瓦の平面図である。
【図２７】同実施形態に使用する第２棟瓦の平面図である。
【図２８】棟側瓦の爪片部の種々の形状を示す部分断面図である。
【図２９】空気流路を設けた実施形態の棟の部位の屋根瓦構造の断面図であり、第１棟瓦の部位では、図３１のXXIX−XXIX部位に対応し、第２棟瓦の部位では、図３３のXXIX−XXIX部位に対応し、第３棟瓦の部位では、図３５のXXIX−XXIX部位に対応する。
【図３０】同実施形態の一部切欠斜視図である。
【図３１】同実施形態に使用する第１棟瓦の平面図である。
【図３２】同第１棟瓦の正面図である。
【図３３】同実施形態に使用する第２棟瓦の平面図である。
【図３４】同第２棟瓦の正面図である。
【図３５】同実施形態に使用する第３棟瓦の平面図である。
【図３６】同第３棟瓦の正面図である。
【図３７】棟が分岐する際の鬼瓦の取付状態を示す概略斜視図である。
【図３８】実施形態における壁際の屋根瓦構造を示す断面図である。
【図３９】同実施形態に使用する壁側瓦の斜視図である。
【図４０】同壁側瓦を左右方向に並べた斜視図である。
【図４１】同実施形態の桟瓦と並設される左袖瓦の斜視図である。
【図４２】同実施形態の桟瓦と並設される右袖瓦の斜視図である。
【図４３】同実施形態の桟瓦と左・右袖瓦とを葺きあげた状態の部分断面概略斜視図である。
【図４４】同実施形態の軒瓦と並設される左袖瓦の斜視図である。
【図４５】同実施形態の軒瓦と並設される右袖瓦の斜視図である。
【図４６】同実施形態における棟の端部側の側面図である。
【図４７】同実施形態の棟の端部側から見た正面図である。
【図４８】同実施形態の棟側瓦と並設される左袖瓦の斜視図である。
【図４９】同実施形態の棟側瓦と並設される右袖瓦の斜視図である。
【図５０】同実施形態の棟に使用する巴瓦の斜視図である。
【図５１】同実施形態の棟に使用する巴瓦の正面図である。
【図５２】同実施形態の棟に使用する鬼瓦の部分断面側面図である。
【符号の説明】
３…野地板、
１０…桟瓦、
１２…凸部、
１６…嵌合溝部、
２３…嵌合凹部、
３０…軒瓦、
３６…嵌合溝部、
４２…嵌合凸部、
４４…樋部、
４５…凹条部、
４６…突条部、
５０…軒側瓦、
５６…嵌合溝部、
６３…嵌合凹部、
６５…爪片部、
６６…凹条部、
６７…突条部、
７０・７０Ａ・９０…第１棟瓦、
７７・７７Ａ・９７…第２棟瓦、
１１０…壁側瓦、
１１６…嵌合溝部、
１２３…嵌合凹部、
１２５…縦壁部、
１２６…凹条部、
１２７…突条部、
１２８…係合爪、
１２９…リブ、
１３１…下地板、
１３２…モルタル、
Ｔ…棟、
Ｓ…空気流路。
【図１】
0004139036.tif 000002
【図２】
0004139036.tif 000003
【図３】
0004139036.tif 000004
【図４】
0004139036.tif 000005
【図５】
0004139036.tif 000006
【図６】
0004139036.tif 000007
【図７】
0004139036.tif 000008
【図８】
0004139036.tif 000009
【図９】
0004139036.tif 000010
【図１０】
0004139036.tif 000011
【図１１】
0004139036.tif 000012
【図１２】
0004139036.tif 000013
【図１３】
0004139036.tif 000014
【図１４】
0004139036.tif 000015
【図１５】
0004139036.tif 000016
【図１６】
0004139036.tif 000017
【図１７】
0004139036.tif 000018
【図１８】
0004139036.tif 000019
【図１９】
0004139036.tif 000020
【図２０】
0004139036.tif 000021
【図２１】
0004139036.tif 000022
【図２２】
0004139036.tif 000023
【図２３】
0004139036.tif 000024
【図２４】
0004139036.tif 000025
【図２５】
0004139036.tif 000026
【図２６】
0004139036.tif 000027
【図２７】
0004139036.tif 000028
【図２８】
0004139036.tif 000029
【図２９】
0004139036.tif 000030
【図３０】
0004139036.tif 000031
【図３１】
0004139036.tif 000032
【図３２】
0004139036.tif 000033
【図３３】
0004139036.tif 000034
【図３４】
0004139036.tif 000035
【図３５】
0004139036.tif 000036
【図３６】
0004139036.tif 000037
【図３７】
0004139036.tif 000038
【図３８】
0004139036.tif 000039
【図３９】
0004139036.tif 000040
【図４０】
0004139036.tif 000041
【図４１】
0004139036.tif 000042
【図４２】
0004139036.tif 000043
【図４３】
0004139036.tif 000044
【図４４】
0004139036.tif 000045
【図４５】
0004139036.tif 000046
【図４６】
0004139036.tif 000047
【図４７】
0004139036.tif 000048
【図４８】
0004139036.tif 000049
【図４９】
0004139036.tif 000050
【図５０】
0004139036.tif 000051
【図５１】
0004139036.tif 000052
【図５２】
0004139036.tif 000053